(57)【要約】【課題】冷風発生装置において、各冷凍剤収納室内の下部に溜まった結露水を簡易に外部に排水することができる冷風発生装置における結露水の排水構造を提供すること。【解決手段】冷風発生装置において、各冷凍剤収納室１２、１３と対応した本体１における下本体部３の底部に、冷凍剤１６による結露水の排水穴３５が貫通して設けられ、各排水穴３５に対応させて、下本体部３の底面外部には、排水口を有する各結露水溜槽３６が垂設固定されるとともに、これら各結露水溜槽３６には、前記排水口を開閉する手動可能な開閉弁３７を介して排水管３９が連結され、前記開閉弁３７の手動操作により、前記排水穴３５を通して前記結露水溜槽３６に溜まった結露水が前記排水管３９を介して外部に排水される。【選択図】    図２
0003126261.tif 000002
【実用新案登録請求の範囲】
【請求項１】
上本体部（２）と下本体部（３）による着脱可能な二分割構造にして、対向する両側面壁（４）、（５）、（６）、（７）の同軸上中央部に送風穴（８）が設けられ、かつ内部が、前記送風穴（８）と連通する送風穴（１４）、（１５）を有するそれぞれの仕切壁（１０）、（１１）を介して複数の冷凍剤収納室（１２）、（１３）に形成された筒状の本体（１）と、
前記冷凍剤収納室（１２）、（１３）にそれぞれ収納セットされた冷凍剤（１６）と、
前記本体（１）における一方の送風穴（８）を介して前記冷凍剤（１６）に空気を送風するファン（２１）と、
前記本体（１）における他方の送風穴（８）を介して前記冷凍剤（１６）により冷却された冷風を送風する冷風送風管（３３）
を備えた冷風発生装置において、
前記各冷凍剤収納室（１２）、（１３）と対応した前記本体（１）における下本体部（３）の底部に、前記冷凍剤（１６）による結露水の排水穴（３５）が貫通して設けられ、各排水穴（３５）に対応させて、前記下本体部（３）の底面外部には、排水口を有する各結露水溜槽（３６）が垂設固定されるとともに、これら各結露水溜槽（３６）には、前記排水口を開閉する手動可能な開閉弁（３７）を介して排水管（３９）が連結され、
前記開閉弁（３７）の手動操作により、前記排水穴を通して前記結露水溜槽（３６）に溜まった前記冷凍剤（１６）による結露水が前記排水管（３９）を介して外部に排水される構成を特徴とする冷風発生装置における結露水の排水構造。
【請求項２】
上本体部（２）と下本体部（３）による着脱可能な二分割構造にして、対向する両側面壁（４）、（５）、（６）、（７）の同軸上中央部に送風穴（８）が設けられ、かつ内部が、前記送風穴（８）と連通する送風穴（１４）、（１５）を有するそれぞれの仕切壁（１０）、（１１）を介して複数の冷凍剤収納室（１２）、（１３）に形成された筒状の本体（１）と、
前記冷凍剤収納室（１２）、（１３）にそれぞれ収納セットされた冷凍剤（１６）と、
前記本体（１）における一方の送風穴（８）を介して前記冷凍剤（１６）に空気を送風するファン（２１）と、
前記本体（１）における他方の送風穴（８）を介して前記冷凍剤（１６）により冷却された冷風を送風する冷風送風管（３３）
を備えた冷風発生装置において、
前記各冷凍剤収納室（１２）、（１３）と対応した前記本体（１）における下本体部（３）の底部に、前記冷凍剤（１６）による結露水の排水穴（３５）が貫通して設けられ、前記下本体部（３）の底面外部には、前記全ての排水穴（３５）を囲む単一の排水口を有する結露水溜槽（３６）が垂設固定されるとともに、該結露水溜槽（３６）には、前記排水口を開閉する手動可能な開閉弁（３７）を介して排水管（３９）が連結され、
前記開閉弁（３７）の手動操作により、前記各排水穴（３５）を通して前記結露水溜槽（３６）に溜まった前記冷凍剤（１６）による結露水が前記排水管（３９）を介して外部に排水される構成を特徴とする冷風発生装置における結露水の排水構造。
【請求項３】
上本体部（２）と下本体部（３）による着脱可能な二分割構造にして、対向する両側面壁（４）、（５）、（６）、（７）の同軸上中央部に送風穴（８）が設けられ、かつ内部が、前記送風穴（８）と連通する送風穴（１４）、（１５）を有するそれぞれの仕切壁（１０）、（１１）を介して複数の冷凍剤収納室（１２）、（１３）に形成された筒状の本体（１）と、
前記冷凍剤収納室（１２）、（１３）にそれぞれ収納セットされた冷凍剤（１６）と、
前記本体（１）における一方の送風穴（８）を介して前記冷凍剤（１６）に空気を送風するファン（２１）と、
前記本体（１）における他方の送風穴（８）を介して前記冷凍剤（１６）により冷却された冷風を送風する冷風送風管（３３）
を備えた冷風発生装置において、
前記各冷凍剤収納室（１２）、（１３）と対応した前記本体（１）における下本体部（３）の底部に、前記冷凍剤（１６）による結露水の排水穴（３５）が貫通して設けられ、前記下本体部（３）の底面外部には、前記全ての排水穴（３５）を囲む単一の結露水溜槽（４４）が垂設固定され、
前記本体（１）の上本体部（２）が下本体部（３）から取り外され、前記冷凍剤（１６）の交換時において、前記下本体部（３）が逆さに傾けられて前記結露水溜槽（４４）に溜まった結露水が前記各排水穴（３５）を通して外部に排出される構成を特徴とする冷風発生装置における結露水の排水構造。
【考案の詳細な説明】
【技術分野】
【０００１】
本考案は、猛暑のなか冷房のない部屋や屋外で過ごす場合、更には病院等において氷又は冷凍剤を用いて身体を部分的に冷やす場合等において用いられる冷風発生装置において、冷凍剤により生じ、溜まった結露水を外部に排水する構造に関するものである。
【背景技術】
【０００２】
ファンの駆動により空気が送風管、送風穴を通って本体内の冷凍剤収納室内の空間部に流れて、冷凍剤により冷風化されるとともに、この冷風化された冷気は順次に各冷凍剤収納室内の各空間部を流れて、セット収納の冷凍剤によって更に冷風化され、最終的に冷風化された冷気は、冷風送風管を通って外部に導出され、使用者の冷房に供される冷風発生装置においては、外気の吹き込みにより冷凍剤の表面に結露が生じ、この結露水が滴下して各冷凍剤収納室内の底部に溜まることになる。
【０００３】
この結露水が少量の場合には、格別問題は生じないが、相当量溜まってくると、吹き込まれた風の通りが悪くなるばかりか、風の流れが乱れて冷却効率が悪くなり、期待する冷風が得られない。
【０００４】
そこで、溜まった結露水を外部に排出しなければならないが、この排水の方法としては、各冷凍剤収納室を連通させてその下部空間を大きくして、排水流路を形成し、この排水流路から排水管等を介して外部に排水することが考えられ、また、ファン側を上げて本体を下向きとし、冷風送風管側の口から排水することも考えられる。
【０００５】
しかしながら、前者の排水流路による方法では、各冷凍剤収納室の下部空間を大きくすることになるから、各冷凍剤収納室の内部気圧に変化、差が生じて均等な気圧とはならず、結果、冷却効率が悪くなるばかりか、送風の流動からも好ましいものではない。
【０００６】
また、ファン側を上げて冷風送風管側の口から排水するとい後者の方法においては、冷風発生装置が大型化となり、または、固定式或いは半固定式の場合には、困難である。
【考案の開示】
【考案が解決しようとする課題】
【０００７】
本考案が解決しようとする問題点は、冷風発生装置において、各冷凍剤収納室内の下部に溜まった結露水を簡易に外部に排出できないという点である。
【０００８】
従って、本考案の目的は、冷風発生装置において、各冷凍剤収納室内の下部に溜まった結露水を簡易に外部に排水することができる冷風発生装置における結露水の排水構造を提供することにある。
【０００９】
この目的のため、本考案の請求項1に記載の冷風発生装置における結露水の排水構造は、上本体部２と下本体部３による着脱可能な二分割構造にして、対向する両側面壁４、５、６、７の同軸上中央部に送風穴８が設けられ、かつ内部が、前記送風穴８と連通する送風穴１４、１５を有するそれぞれの仕切壁１０、１１を介して複数の冷凍剤収納室１２、１３に区画形成された筒状の本体１と、
前記冷凍剤収納室１２、１３にそれぞれ収納セットされた冷凍剤１６と、
前記本体１における一方の送風穴８を介して前記冷凍剤に空気を送風するファン２１と、
前記本体１における他方の送風穴８を介して前記冷凍剤１６により冷却された冷風を送風する冷風送風管３３
を備えた冷風発生装置において、
前記各冷凍剤収納室１２、１３と対応した前記本体１における下本体部３の底部に、前記冷凍剤１６による結露水の排水穴３５が貫通して設けられ、各排水穴３５に対応させて、前記下本体部３の底面外部には、排水口を有する各結露水溜槽３６が垂設固定されるとともに、これら各結露水溜槽３６には、前記排水口を開閉する手動可能な開閉弁３７を介して排水管３９が連結され、
前記開閉弁３７の手動操作により、前記排水穴３５を通して前記結露水溜槽３６に溜まった前記冷凍剤１６による結露水が前記排水管３９を介して外部に排水される構成を特徴とするものである。
【００１０】
本考案の請求項２に記載の冷風発生装置における結露水の排水構造は、上本体部２と下本体部３による着脱可能な二分割構造にして、対向する両側面壁４、５、６、７の同軸上中央部に送風穴８が設けられ、かつ内部が、前記送風穴８と連通する送風穴１４、１５を有するそれぞれの仕切壁１０、１１を介して複数の冷凍剤収納室１２、１３に区画形成された筒状の本体１と、
前記冷凍剤収納室１２、１３にそれぞれ収納セットされた冷凍剤１６と、
前記本体１における一方の送風穴８を介して前記冷凍剤１６に空気を送風するファン２１と、
前記本体１における他方の送風穴８を介して前記冷凍剤１６により冷却された冷風を送風する冷風送風管３３
を備えた冷風発生装置において、
前記各冷凍剤収納室１２、１３と対応した前記本体１における下本体部３の底部に、前記冷凍剤１６による結露水の排水穴３５が貫通して設けられ、前記下本体部３の底面外部には、前記全ての排水穴３５を囲む単一の排水口を有する結露水溜槽３６が垂設固定されるとともに、該結露水溜槽３６には、前記排水口を開閉する手動可能な開閉弁３７を介して排水管３９が連結され、
前記開閉弁３７の手動操作により、前記各排水穴３５を通して前記結露水溜槽３６に溜まった前記冷凍剤１６による結露水が前記排水管３９を介して外部に排水される構成を特徴とするものである。
【００１１】
本考案の請求項３に記載の冷風発生装置における結露水の排水構造は、上本体部２と下本体部３による着脱可能な二分割構造にして、対向する両側面壁４、５、６、７の同軸上中央部に送風穴８が設けられ、かつ内部が、前記送風穴８と連通する送風穴１４、１５を有するそれぞれの仕切壁１０、１１を介して複数の冷凍剤収納室１２、１３に区画形成された筒状の本体１と、
前記冷凍剤収納室１２、１３にそれぞれ収納セットされた冷凍剤１６と、
前記本体１における一方の送風穴８を介して前記冷凍剤１６に空気を送風するファン２１と、
前記本体１における他方の送風穴８を介して前記冷凍剤１６により冷却された冷風を送風する冷風送風管３３
を備えた冷風発生装置において、
前記各冷凍剤収納室１２、１３と対応した前記本体１における下本体部３の底部に、前記冷凍剤１６による結露水の排水穴３５が貫通して設けられ、前記下本体部３の底面外部には、前記全ての排水穴３５を囲む単一の結露水溜槽４４が垂設固定され、
前記本体１の上本体部２が下本体部３から取り外され、前記冷凍剤１６の交換時において、前記下本体部３が逆さに傾けられて前記結露水溜槽４４に溜まった結露水が前記各排水穴３５を通して外部に排出される構成を特徴とするものである
【考案の効果】
【００１２】
請求項1から請求項３に記載の考案によれば、各冷凍剤収納室１２、１３の内部気圧に何らの変化を与えることなく、全て均等な内部気圧で、冷却効率に影響を及ぼすことなく、冷凍剤１６による結露水を簡単に外部に排出することができる。
【考案を実施するための最良の形態】
【００１３】
以下、本考案を実施するための最良の形態について、図面を参照し、その作用と共に説明する。
【００１４】
図１は、本考案に係る結露水の排水構造を有する冷風発生装置の一例での一部を断面し、かつ省略して示す正面図であるが、結露水の排水構造については、図面の表示を簡潔する目的で、図示を省略してある。図２は、本体部分を断面して示す正面図である。
【００１５】
そこで、先ず、図１および図２に基づき、本考案が実施される冷風発生装置の概略について説明する。
【００１６】
この冷風発生装置は、本考案者等が、先に発明をし、既に特許出願（特願２００５−１５３５３７）をした冷風発生装置である。
【００１７】
図１および図２において、冷風発生装置は本体１を備え、該本体１は、好ましくは、硬質樹脂製での成形品であって全体横長の筒状を呈し、上本体部２と下本体部３での着脱可能な二分割構造となっている。
【００１８】
本体１は上下本体部２、３の合体により一体的に形成されるが、この合体のため、上本体部２と下本体部３の相対向する両側面壁４、５と両側面壁６、７の中央部には、それぞれ送風穴８を有する接続部９が設けられている。
【００１９】
上下本体部２、３内はそれぞれ複数の仕切壁１０、１１を介して複数の冷凍剤収納室１２、１３に区画形成され、各仕切壁１０の下端と各仕切壁１１の上端には、送風穴８と連通する送風用切欠部１４、１５が形成されている。
【００２０】
下本体部３の各冷凍剤収納室１３内にそれぞれ冷凍された冷凍剤１６が上方からセット収納され、上本体部２と下本体部３の分割端面の接合をもって一体的に合体され、この合体により上下の送風用切欠部１４、１５によって各仕切壁１０、１１の中心部に送風穴が形成される。そして、この合体状態を維持するため、本体１の外周適所において、ゴム又は螺旋状スプリングのワッカ１７が巻着されている。
【００２１】
各冷凍剤収納室１２、１３内にセット収納される冷凍剤１６は、ナイロンフィルム等の袋にゼリー状の冷凍剤が密閉された公知のものであって、この冷凍剤は、好ましくは冷凍庫において夜間の電力で凍らせて使用される。
【００２２】
以上のようにして、各冷凍剤収納室１２、１３内にそれぞれ冷凍剤１６がセット収納され、上下本体部２、３が接合合体されて複数のワッカ１７により巻着された本体１は箱型ボックス１８内に固定的に収納される。
【００２３】
ボックス１８は、好ましくは硬質合成樹脂材による一体成形品として得られるもので、一側面が開口した筒状体であって、その閉塞面壁の中央内側には、本体１における送風穴８、１４、１５と連通するテーパー付送風穴を有するゴムパッキン装着突出部が一体に膨出形成され、該ゴムパッキン装着突出部には厚板のゴムパッキン１９が固定的に装着されるとともに、外周全体には断面方形多角形状の断熱材２０が外装着されている。
【００２４】
断熱材２０の閉塞面壁の外側には、本体１内の冷凍剤１６に空気を送るためのファン２１が設けられている。
【００２５】
ファン２１は、送風管２２を有し、その先端テーパー部２３が断熱材２０の送風管挿通穴２４を介してゴムパッキン装着突出部のテーパー付送風穴に嵌めこまれ、そのファン部が取付部材を介して両面開口の設置ボックス２５の天井に取り付けられている。
【００２６】
設置ボックス２５内の底面上には、バッテリ等のファン電源２６が設けられ、ファン電源２６は電気配線を介してファン部と電気接続され、ファン電源のオン(ＯＮ)、（ＯＦＦ）オフにより送風し、送風を停止するようになっている。
【００２７】
設置ボックス２５におけるファン２１、ファン電源２６側の開口部は、その中央部の上下二個所に通気口を有する開閉蓋によって閉塞されており、ボックス１８の開口部には開閉蓋２８が密閉的に嵌合される。
【００２８】
開閉蓋２８の中央内側には本体１における送風穴８、１４、１５と連通するテーパー付送風穴を有するゴムパッキン装着突出部２９が一体に膨出形成されており、ゴムパッキン装着突出部２９には厚板のゴムパッキン３０が固定的に装着されるとともに、開閉蓋２８の凹陥部には中央部に冷風送風管挿通穴３１を有する断熱材３２が充填されている。
【００２９】
ゴムパッキン装着突出部２９のテーパー付送風穴には、断熱材３２の冷風送風管挿通穴３１を介して冷風送風管３３の先端テーパー部が嵌め込まれており、また、断熱材３２を覆って全体にカバー３４が取り付けられている。
【００３０】
このように構成された冷風発生装置は、ファン２１の駆動により外気が吹き込まれると、内蔵されている複数の冷凍剤１６により結露が生じ、その結露はファン２１側が一番多く、冷風送風管３３側に行くに従って順々に少なくなっていくが、結露水は滴下して各冷凍剤収納室１２、１３内の下部に溜まり、その水量が次第に多くなると、各冷凍剤収納室１２、１３の内部気圧に変化が生じて、風の流れに乱れが生じ、その結果、冷凍剤１６による冷却効率が悪くなる。
【００３１】
そこで、この溜まった結露水を外部に排出するため、図２に示されているように、各冷凍剤収納室１２、１３と対応した本体１における下本体部３の底部にそれぞれ結露水の排水穴３５が貫通して設けられている。
【００３２】
なお、図２は、図１における本体１の部分だけを表わし、ファン等の送風手段他については、その図示を省略してある。
【００３３】
各排水穴３５に対応させて、下本体部３の底面外部には、排水口を有する結露水溜槽３６がそれぞれ垂設固定されるとともに、これら各結露水溜槽３６には、排水口を開閉するボールバルブやコック等の開閉弁３７を介してホース等の排水管３９がそれぞれ連結され、
各開閉弁３７には、ローレット付摘みを有する操作杆３８が連結されている。
【００３４】
そして、このような排水構造が設けられた本体１は、そのファン側の一つの結露水溜槽３６と冷風送風管側の一つの結露水溜槽３６を除いた中間の結露水溜槽３６の部分が台座４０に載置され、この状態で図１に示された冷風発生装置における箱型ボックス１８の下面上に配置される。
【００３５】
台座４０は、図５に例示されているように、底板部４１と、円弧状載置部４２を有する前後一対の側板部４３を含み、これに載置された本体１における中間の結露水溜槽３６に設けられた操作杆３８と排水管３９は、台座底板部４１上から断熱材２０、カバー３４を貫通して外に出され、また、前後の結露水溜槽３６に設けられた操作杆３８と排水管３９は断熱材２０とカバー３４を貫通して外に出され、外部よりの操作杆３８の手動操作により、開閉弁３７が開放されて、排水穴３５より結露水溜槽３６に溜まった冷凍剤１６による結露水は、各冷凍剤収納室毎に排水管３９を介して外部に排水される。
【００３６】
本考案に係る排水構造の変形は可能であり、図６と図７に他の変形態様が示されている。
【００３７】
この図６に示された変形態様は、各冷凍剤収納室１２、１３と対応した本体１における下本体部３の底部に、冷凍剤１６による結露水の排水穴３５が貫通して設けられ、下本体部３の底面外部には、全ての排水穴３５を囲む単一の排水口を有する結露水溜槽３６が垂設固定されるとともに、該結露水溜槽３６には、ローレット付摘みを有する操作杆３８の手動操作により排水口を開閉する開閉弁３７を介して排水管３９が連結され、該操作杆３８と排水管３９は断熱材２０とカバー３４を貫通して外に出され、外部よりの操作杆３８の手動操作により、開閉弁３７が開放されて、各排水穴３５より結露水溜槽３６に溜まった冷凍剤１６による全ての冷凍剤収納室の結露水は排水管３９を介して一斉に外部に排出される。
【００３８】
図７に示された変形態様は、各冷凍剤収納室１２、１３と対応した本体１における下本体部３の底部に、冷凍剤１６による結露水の排水穴３５が貫通して設けられ、下本体部３の底面外部には、全ての排水穴３５を囲む単一の結露水溜槽４４が垂設固定され、本体１の上本体部２が下本体部３から取り外されて、下本体部３から冷凍剤１６が取り出される前、或いは取出された後において、下本体部３が逆さに傾けられることにより、結露水溜槽４４に溜まった結露水が各排水穴３５を通して外部に排出されるようにしたものである。
【図面の簡単な説明】
【００３９】
【図１】本考案に係る冷風発生装置における結露水の排水構造が実施される冷風発生装置の一例での一部を断面し、かつ省略して示す正面図である。
【図２】本考案に係る結露水の排水構造の一例を断面して示す正面図である。
【図３】図２の縦断面図である。
【図４】図２における本考案の要部を拡大し、断面して示す正面図である。
【図５】台座の斜視図である。
【図６】本考案に係る結露水の排水構造の他例を断面して示す正面図である。
【図７】本考案に係る結露水の排水構造の更なる他例を断面して示す正面図である。
【符号の説明】
【００４０】
１    本体
２    上本体部
３    下本体部
４、５、６、７    側面壁
８    送風穴
１０、１１    仕切壁
１２、１３    冷凍剤収納室
１４、１５    送風穴
１６    冷凍剤
２１    ファン
３３    冷風送風管
３５    排水穴
３６、４４    結露水溜槽
３７    開閉弁
３８    操作杆
３９    排水管
【図１】
0003126261.tif 000003
【図２】
0003126261.tif 000004
【図３】
0003126261.tif 000005
【図４】
0003126261.tif 000006
【図５】
0003126261.tif 000007
【図６】
0003126261.tif 000008
【図７】
0003126261.tif 000009